(57)【要約】【課題】  従来のおんぶ紐のようにバストラインが強調されることがなく、乳幼児にストレスを与えることなく安定してかつ楽におんぶや抱っこを行うことができ、しかも簡単に装着可能な乳幼児運搬具の提供を目的とする。【解決手段】  基部１１の一方側から二股状に延びる一対の肩当て用の短尺部１２と、基部１１の他方側から二股状に延びる一対の長尺部１３とで本体１を構成する。この本体２では、短尺部１２の延長上に長尺部１３がそれぞれ配置される。短尺部１２の先端には、長尺部１３と結合するための二重リング２を取り付ける。基部１１を使用者の背側に配した状態で、両短尺部１２を肩上を通して前方に引き回すと共に、長尺部１３を脇下を通して前方に引き回し、使用者の胸部で短尺部１２と長尺部１３を二重リング２で結合する。【選択図】図４
2007111092.tif 000002
【特許請求の範囲】
【請求項１】
基部の一方側から二股状に延びる一対の肩当て用の短尺部、および基部の他方側から二股状に延びる一対の長尺部を備え、短尺部の延長上に長尺部がそれぞれ配置された本体と、短尺部と長尺部とを結合するための結合機構とを有することを特徴とする乳幼児運搬具。
【請求項２】
結合機構を、両短尺部の先端に取り付けた二重リングで構成した請求項１記載の乳幼児運搬具。
【請求項３】
基部を使用者の背側に配した状態で、両短尺部を肩上を通して前方に引き回すと共に、長尺部を脇下を通して前方に引き回した時、使用者の胸部で短尺部と長尺部が結合機構を介して結合可能である請求項１または２記載の乳幼児運搬具。
【請求項４】
長尺部が、結合機構を介して短尺部と結合した時に余剰端部同士が互いに結び合わせ可能となる長さを有する請求項３記載の乳幼児運搬具。
【請求項５】
長尺部に折り返しを設けることで、その幅を可変可能とした請求項１記載の乳幼児運搬具。
【発明の詳細な説明】
【技術分野】
【０００１】
本発明は、乳幼児を抱っこやおんぶで運搬するための乳幼児運搬具に関する。
【背景技術】
【０００２】
乳幼児の運搬具として、従来から「おんぶ紐」と称されるものが知られている。これは、図８に示すように、乳幼児の保持部２１から延びる二本の紐２２を肩上を通して前方に引き回し、使用者の胸部の中央でより合わせてから、その両端を使用者の背側に引き回し、さらに前方に引き回した後、互いに結び合わせて乳幼児を保持するものである。
【０００３】
この他、近年人気を博する乳幼児用運搬具として「スリング」あるいは「ベビースリング」と呼ばれるものが知られている（以下、「ベビースリング」の用語でこれらを表す）。ベビースリングは、綿等の帯状布で形成されたリング状をなし、これを一方の肩にかけ、前側の袋状部分に乳幼児を収容保持するもので、その一例が、特開２００３−４７５４２号公報や意匠登録第１１７７８４２号公報等に記載されている。
【特許文献１】特開２００３−４７５４２号公報
【特許文献２】意匠登録第１１７７８４２号公報
【発明の開示】
【発明が解決しようとする課題】
【０００４】
従来のおんぶ紐やベビースリングはその使用方法が限定的であり、おんぶ用および抱っこ用の双方で共用することが難しい。
【０００５】
加えて、従来のおんぶ紐は、二本の紐を使用者の胸部中央部でより合わせて使用するものであるから、乳幼児を背負った際にこの寄り合わせ部分が胸部に食い込み、バストラインが強調される点が問題となる。また、従来のベビースリングは、一方の肩で乳幼児の体重を支持するため、疲労感を覚えやすい。さらに、一枚の布体で乳幼児の全体を包み込むように保持するものであり、乳幼児は手足を折り曲げた状態で布体によって拘束される。そのため、乳幼児の体格や使用状態によっては乳幼児に無理な姿勢を強いる可能性がある。
【０００６】
本発明は、かかる実情に鑑み、多種多様の方法で乳幼児を運搬でき、特に抱っこおよびおんぶの双方で共用可能な乳幼児運搬具の提供を目的とする。
【０００７】
加えて本発明は、バストラインが強調されず、乳幼児にストレスを与えることなく安定してかつ楽に抱っこやおんぶが可能で、しかも簡単に装着可能な乳幼児運搬具の提供を目的とする。
【課題を解決するための手段】
【０００８】
本発明にかかる乳幼児運搬具は、基部の一方側から二股状に延びる一対の肩当て用の短尺部、および基部の他方側から二股状に延びる一対の長尺部を備え、短尺部の延長上に長尺部がそれぞれ配置された本体と、短尺部と長尺部とを結合するための結合機構とを有することを特徴とするものである。
【０００９】
かかる構成においては、両短尺部の延長上に長尺部が配置されているから、短尺部を肩上に配して、基部とは体を挟んだ反対側に長尺部を引き回した時、無理なく長尺部の先端をその延長上にある短尺部と結合することができる。この際、長尺部同士を交差させてから長尺部を短尺部に結合すれば、この交差部分で乳幼児の股を安定して支持することができる。このとき、交差部が使用者の前にあれば抱っこ紐として使用することができ、交差部が後（背側）にあればおんぶ紐として使用することができるので、抱っこ紐およびおんぶ紐としての共用が可能となる。
【００１０】
交差部分で乳幼児の股を支持することにより、乳幼児の足はフリーとなるから、従来のベビースリングのように乳幼児に不自然な姿勢を強要することはなく、乳幼児に与えるストレスを軽減できる。また、肩当てとしての短尺部を二つ有し、両肩で乳幼児を支持できるから、長時間の使用時でも使用者が受ける疲労を軽減することができる。おんぶ紐として使用する際には、体の両側で短尺部と長尺部を結合すればよく、胸の中央で長尺部同士を縒り合せる必要もないから、縒り合わせ部分の胸への食い込みでバストラインがむやみに強調されることもない。
【００１１】
結合機構として二重リングを使用すれば、簡易な操作で確実に長尺部と短尺部の結合・分離が行える。また、二重リングが錘として機能するので、その装着作業中に肩当てとしての短尺部を肩上に載せた状態で手を離しても、前後の重量アンバランスが極端に大きくなることはなく、本体がずれ落ちるようなこともない。
【００１２】
この乳幼児運搬具は、基部を使用者の背側に配した状態で、両短尺部を肩上を通して前方に引き回すと共に、長尺部を脇下を通して前方に引き回した時、使用者の胸部で短尺部と長尺部が結合機構を介して結合可能となるよう構成するのが望ましい。この構成であれば、胸部の周辺で結合機構による短尺部と長尺部の結合および解除、あるいは長さの調整作業が行えるので、乳幼児を抱っこしたりおんぶした状態のままでも、これらの作業をスムーズに行うことができる。
【００１３】
長尺部は、結合機構を介して短尺部と結合した時に余剰端部同士が互いに結び合わせ可能となる長さを有するものとするのが望ましい。特に抱っこした状態では、上述のとおり長尺部を交差させてできた交差部で乳幼児の股が支持されるが、これだけでは乳幼児に対する拘束力が不足するおそれがある。この場合でも、長尺部の余剰端部同士で結び目を形成することにより、乳幼児の前傾が防止されるので、乳幼児に対する拘束力が高まる。
【００１４】
長尺部に折り返しを設けることで、その幅を可変可能とすれば、必要に応じて長尺部の幅を変えることができ、多種多様の態様で抱っこやおんぶを行うことが可能となる。
【発明の効果】
【００１５】
本発明によれば、多種多様の方法で乳幼児を運搬でき、かつ抱っことおんぶの双方で共用可能な乳幼児運搬具を提供することができる。
【００１６】
また、本発明によれば、従来のおんぶ紐のようにむやみにバストラインが強調されることはなく、乳幼児にストレスを与えることなく安定してかつ楽に抱っこやおんぶすることができ、しかも簡単に装着可能となる。
【発明を実施するための最良の形態】
【００１７】
以下、添付図面を参照して本発明の実施の形態を説明する。
【００１８】
図１に示すように、本発明の乳幼児運搬具は、全体が柔軟な布体で形成された本体１と結合機構２とで構成される。本体１は、基部１１と、基部１１の一方側から二股状に延びる一対の短尺部１２と、基部の他方側から二股状に延びる一対の長尺部１３とを有し、短尺部１２の延長上にそれぞれ長尺部１３が配置されている。本実施形態において、本体１は、短尺部１２間の角度の二等分線を中心として左右対称に形成される。短尺部１２間の角度（長尺部１３間の角度）は任意であるが、９０°程度が望ましい。この形態の本体１は、例えば、二本の帯状布体１４同士を交差させ、両布体を交差部分で互いに縫着し（縫い込み線を図中破線で示す）、固定することにより得られる。
【００１９】
短尺部１２は、使用者の肩当てとして使用される。肩当てとして使用する際のクッション性を確保するため、短尺部１２は、綿、ゴムなどの弾性材料からなるクッション材で形成し、あるいはこれを内蔵した構造とするのが望ましい。例えば、図２に示すように布体１４の先端部を折り返して反転させ、折り返して形成された二重布部分の内部にクッション材１５を収容し、その両側を縫着することで、クッション材１５を内蔵した短尺部１２を形成することができる。
【００２０】
長尺部１３には、クッション材は不要であるので、折り畳み時のかさばり防止のため、例えば一枚の布体１４で形成することができる。少なくとも長尺部１３には、図３に示すようにその全長に渡って折り返し１６を設けるのが望ましい。図３では、折り返し１６を長尺部１３の両側に片側二箇所ずつ設けた場合を例示しているが、折り返し１６の数は任意である。このような折り返し１６を設けることにより、その幅Ｗ１を必要に応じて幅Ｗ２まで拡大させることが可能となる（図１に二点鎖線で示す）。Ｗ１としては５ｃｍ〜２０ｃｍ程度、Ｗ２としては３０ｃｍ〜６０ｃｍ程度が好ましい。長尺部１３から基部１１にかけて一連に折り返し１６を形成し、相手側の布体と縫い付ける際に基部１１で折り返し１６を縫い込めば、長尺部１３の折り返し１６を安定して保持することが可能となる。
【００２１】
結合機構２としては、例えば二重リングを使用することができる。二重リング２は、二つの金属製のリング体２ａ、２ｂからなり、図３に示すように、各リング体２ａ、２ｂを短尺部１２の先端に設けた無端状の袋部１２ａに通すことによって短尺部１２に取り付けられる。袋部１２ａは、例えば図示のように、布体１４の先端をリング体２ａ、２ｂに通した上で反転させ、反転部分よりも若干距離だけ基部１１側に後退した位置で布体１４同士を縫着することにより形成することができる。長尺部１３と二重リング２との結合は、図３に示すように、長尺部１３の先端を両リング体２ａ、２ｂに通し、さらに該先端を一方のリング体２ｂにのみ通してから引っ張ることで、簡易かつ確実に行うことができる。
【００２２】
以上に説明した本発明の乳幼児運搬具は、抱っこ用、およびおんぶ用の何れにも使用することができる。抱っこ用としても、種々の抱っこの態様（縦抱っこ、前向き抱っこ、横抱っこ、腰抱っこ等）にも対応することができる。
【００２３】
以下、この幼児運搬具を用いて抱っこ、特に前向き抱っこを行う場合の装着手順の一例を図４に基いて説明する。
【００２４】
図４（ａ）に示すように、本体１の基部１１を使用者の背側に配置した状態で、両肩上を通して短尺部１２を前方に引き回す。この時、二重リング２ａ・２ｂが使用者の胸に位置するように短尺部１２の長さＬ１を設定しておけば、その後の装着作業や調整作業時の作業性が良好なものとなる。この意味で短尺部１２の長さＬ１は２０〜５０ｃｍ程度に設定するのが好ましい。この状態では、本体１の大部分が体の後側にあるが、短尺部１１の先端に取り付けた二重リング２が錘としても機能するため、前後の重量バランスをとることができ、これにより図示の状態で手を離しても本体１が後方にずれ落ちにくくなる。
【００２５】
次いで、同図（ｂ）および（ｃ）に示すように、一方の長尺部１３を、脇を通してその延長上にある一方の短尺部１２の二重リング２に取り付け（同図（ｂ）参照）、同様に他方の長尺部１３を他方の短尺部１２の二重リング２に取り付ける。これに伴い、同図（ｃ）に示すように、前方に引き回した長尺部１３同士で交差部１３ａが形成される。
【００２６】
次に交差部１３ａの両側で、上方の長尺部１３の後方、及び下側の長尺部１３の前方を通過するようにそれぞれ乳幼児１７の足を入れ、交差部１３ａで乳幼児１７の股を支持する。その後、二重リング２ａ、２ｂで余剰の長尺部１３の長さ調整を行って乳幼児１７を使用者に密着させることにより、前向き抱っこ状態が得られる。その後、同図（ｄ）に示すように、長尺部１３先端の余剰部分１３ｂを互いに結び合わせておけば、この結び目が乳幼児１７の前傾を規制するので、さらに安定して乳幼児を支持できるようになる。また、この結び目は、正面から見た際の外観上のアクセントにもなり、デザイン性の向上を面で優れたものｄとなる。このように長尺部１３は、使用者の脇を通して前に引き出してから交差させ、二重リング２に結合し、さらに余剰部分を結び合わせて使用される。長尺部１３は、以上の引き回しが行えるように例えば１００〜１６０ｃｍ程度の長さ（図１中のＬ２）に設定される。
【００２７】
図５は、以上に説明した運搬具１でおんぶを行った状態を示す。おんぶする際には、使用者の背中側で交差部１３ａを形成する以外は、基本的に図４（ａ）〜（ｄ）に示す前向き抱っこでの装着手順と同様である。すなわち、背側に基部１１を配置し、両短尺部１２を肩上を通して前方に引き回すと共に、両長尺部１３を交差させてから脇下を通して前方に引き回し、両長尺部１３の先端を、その延長上にある短尺部１２の二重リング２にそれぞれ結合する。この場合、背側の交差部１３ａで乳幼児の股が支持され、基部１１で乳幼児１７の背中が支持されるので、乳幼児１７が安定して支持される。
【００２８】
このように本発明にかかる運搬具１をおんぶ紐として用いる場合、体の左右両側で短尺部１２と長尺部１３の結合が行われて乳幼児１７の体重が支持される。この際、図８に示す従来のおんぶ紐のように胸部の中央で紐が縒り合わされることはないから、使用者のバストラインがむやみに強調されることはなく、使用者に無用のストレスを与えることがない。
【００２９】
図６は、本発明にかかる運搬具の他の使用態様を示すもので、例えば横抱っこを行う場合に好適な使用態様である。この使用態様は、図４（ｃ）に示す状態から、交差部１３ａ周辺の長尺部１３の折り返し１６を広げ、一方の長尺部１３の下端と他方の長尺部１３の上端を重ね合わせて従来のベビースリングと同様に袋状の収容部１８を形成したものである。この収容部１８に乳幼児１７を例えば横向きに収容することで、横抱っこが行える。もちろん前向きや後ろ向きに乳幼児を収容することもできる。
【００３０】
図６に示す使用態様は、袋状の収容部１８に乳幼児を収容する点で、従来のベビースリングと共通するものであるが、従来のベビースリングでは一方の肩のみで乳幼児１７の体重を支持するのに対し、本発明品では、両肩で乳幼児１７の体重を支持できるので、長期使用時の使用者の疲労を軽減することができる。
【００３１】
また、本発明にかかる運搬具１は、両肩で乳幼児１７を支持するだけでなく、一方の肩でのみ体重を支持する態様でも使用することもできる。具体的には、図１において、基部１１を通る中央線Ｐで運搬具１を二つ折りにして使用する。この状態で、図７に示すように、背側に基部１１を配置すると共に、重ね合わせた両短尺部１２を一方の肩上を通して前方に引き回し、さらに両長尺部１３を当該肩とは左右反対の脇を通して前方に引き出し、両長尺部１３の先端を一方の二重リング２と結合する。この場合、重なり合った両長尺部１３の位置を上下にずらし、かつ折り返し１６を広げることで、図６に示す実施形態と同様に袋状の収容部１８を形成することができ、同様の態様で乳幼児を抱っこすることができる。
【００３２】
このように本発明によれば、多種多様の態様で抱っこおよびおんぶを行うことができ、しかもその構造は簡単で持ち運びも容易であるという利点が得られる。
【００３３】
なお、以上に説明した乳幼児運搬具は、ベビーカーやベビーキャリア等に取付ければ日除けとして用いることもできる。例えばベビーカーに使用する場合、二重リング２をベビーカーの持ち手部分に取付けたフックに係止し、ベビーカーの着座部の両サイドに長尺部１３を広げることですることで、日除けとしての利用が可能となる。
【図面の簡単な説明】
【００３４】
【図１】本発明にかかる乳幼児運搬具の平面図である。
【図２】長尺部を拡大した斜視図である。
【図３】長尺部と短尺部の先端部付近の断面図である。
【図４】上記乳幼児運搬具を抱っこ紐として使用する際の装着手順を示す図で、使用者の正面から見た図である。
【図５】上記乳幼児運搬具のおんぶ紐としての使用状況を示す図で、（ａ）図は使用者の背面から見た図、（ｂ）図は使用者の正面から見た図である。
【図６】上記乳幼児運搬具の抱っこ紐としての使用状況を示す図で、使用者の正面から見た図である。
【図７】上記乳幼児運搬具の抱っこ紐として使用状況を示す図で、使用者の正面から見た図である。
【図８】従来のおんぶ紐の使用状態を示す図である。
【符号の説明】
【００３５】
１      本体
２      結合機構（二重リング）
２ａ    リング体
２ｂ    リング体
１１    基部
１２    短尺部
１２ａ  袋部
１３    長尺
１３ａ  交差部
１３ｂ  余剰端部
１４    布体
１５    クッション材
１６    折り返し
１７    乳幼児
１８    収容部
【図１】
2007111092.tif 000003
【図２】
2007111092.tif 000004
【図３】
2007111092.tif 000005
【図４】
2007111092.tif 000006
【図５】
2007111092.tif 000007
【図６】
2007111092.tif 000008
【図７】
2007111092.tif 000009
【図８】
2007111092.tif 000010